(57)【要約】【課題】既存の壁面に対して適応性の高い壁面パネルを提供する。【解決手段】複数の独立した板状の基礎壁材６がその内部を貫く１本の鉄筋５により連結されて、基礎壁材６間において曲げることが可能とされ、その各基礎壁材６の表面に、周囲景観との適合性を考慮して、化粧層７がそれぞれ形成されている。【選択図】        図３
2004190251.tif 000002
【特許請求の範囲】
【請求項１】
複数の独立した板状の基礎壁材が該各基礎壁材の内部を貫く連結線により連結され、
前記各基礎壁材の表面に、化粧層がそれぞれ形成されている、
ことを特徴とする壁面パネル。
【請求項２】
請求項１において、
前記連結線が１本である、
ことを特徴とする壁面パネル。
【請求項３】
請求項１において、
前記基礎壁材の裏面上部に、取付け部材が該基礎壁材から上方に突出するように取付けられている、
ことを特徴とする壁面パネル。
【請求項４】
請求項３において、
前記取付け部材が、少なくとも壁面パネルより突出する部分において、該壁面パネルの裏面に沿いつつ突出されてアンカーピン用挿入孔が形成されている一定幅の連結壁部と、該連結壁部の幅方向両側から該壁面パネルの裏面方向に起立する一対の対向壁部とを備えている、
ことを特徴とする壁面パネル。
【請求項５】
請求項１〜４のいずれかにおいて、
上端面及び下端面に突部が厚み方向に互い違いに形成されて、積み上げたときに凹凸嵌合できるように設定されている、
ことを特徴とする壁面パネル。
【請求項６】
複数の独立した板状の基礎壁材が該各基礎壁材の内部を貫く連結線により連結されていると共にその各基礎壁材の表面に化粧層がそれぞれ形成されている壁面パネルが、該化粧層を外側に向けた状態で既存の壁面に沿いつつ積み上げられ、
前記各壁面パネルの裏面側に、該各壁面パネルと該各壁面パネルよりも上方側の壁面パネルとの間において、取付け部材が跨るようにそれぞれ配設され、
前記各取付け部材の下端部が前記各壁面パネルの上部に取付けられ、
前記各取付け部材の上端部が前記既存の壁面に取付けられている、
ことを特徴とする壁面構造。
【請求項７】
請求項６において、
前記取付け部材が、少なくとも壁面パネルより突出する部分において、該壁面パネルの裏面に沿いつつ上方に突出されてアンカーピン用挿入孔が形成されている一定幅の連結壁部と、該連結壁部の幅方向両側から該壁面パネルの裏面方向に起立する一対の対向壁部とを備え、
前記取付け部材の上端部が前記既存の壁面に、該既存の壁面に形成されるアンカーピン用取付け孔に前記アンカーピン用挿入孔を介して打ち込まれるアンカーピンをもって固定されている、
ことを特徴とする壁面構造。
【請求項８】
請求項６において、
前記各壁面パネルが、該各壁面パネルに対して上下関係にある壁面パネルに対して凹凸嵌合されている、
ことを特徴とする壁面構造。
【請求項９】
壁面パネルとして、複数の独立した板状の基礎壁材が該各基礎壁材の内部を貫く連結線により連結されていると共に該各基礎壁材の表面に化粧層がそれぞれ形成され、しかも、その裏面上部に上方に突出するようにして取付け部材が設けられたものを複数用意し、
前記壁面パネルを既存の壁面に沿わせさせつつ順次、積み上げると共に、その各壁面パネルの積み上げ作業毎に、その各壁面パネルにおける取付け部材を既存の壁面に取付ける、
ことを特徴とする壁面構造の施工方法。
【請求項１０】
請求項９において、
前記取付け部材が、少なくとも壁面パネルより突出する部分において、該壁面パネルの裏面に沿いつつ上方に突出されてアンカーピン用挿入孔が形成されている一定幅の連結壁部と、該連結壁部の幅方向両側から該壁面パネルの裏面方向に起立する一対の対向壁部とを備えることとされて、
前記取付け部材を既存の壁面に取付けるに際して、前記アンカーピン用挿入孔を介してアンカーピンを既存の壁面に対して打ち込む、
ことを特徴とする壁面構造の施工方法。
【請求項１１】
請求項１０において、
前記各壁面パネルの積み上げセット後であって前記取付け部材を既存の壁面に取付ける前に、前記アンカーピン用挿入孔を案内孔として利用しつつ、前記既存の壁面にアンカーピン用取付け孔を形成する、
ことを特徴とする壁面構造の施工方法。
【請求項１２】
請求項９〜１１のいずれかにおいて、
前記各壁面パネルを積み上げるに際して、該各壁面パネルの下側の壁面パネルの上端面に対して該各壁面パネルの下端面を凹凸嵌合させる、
ことを特徴とする壁面構造の施工方法。
【発明の詳細な説明】
【０００１】
【発明の属する技術分野】
本発明は、既存の壁面等に用いられる壁面パネル、既存の壁面上に新たな壁面を形成する壁面構造及びその壁面構造を構築するための壁面構造の施工方法に関する。
【０００２】
【従来の技術】
近時、コンクリート構造物の既存のコンクリート壁や鋼構造物の既存の壁面を自然と調和させるために、特許文献１に示すように、生態系育成用パネル等の壁面パネルが提案されている。この壁面パネルは、一枚の長尺なパネル基板に化粧骨材や保水性粒子からなる化粧層を設けたものとなっており、このような壁面パネルは、既存の壁面に接着剤或いはホールインアンカー等を用いて取付けつつ、順次、積み上げて、既存の壁面を上記壁面パネルにより覆うこととされている。
【０００３】
【特許文献１】
特開平１１−１５８８９６号公報
【０００４】
【発明が解決しようとする課題】
しかし、既存の壁面には、平坦な状態のものだけではなく、湾曲したものや曲がったもの等があり、上述のような一枚の長尺な壁面パネルを用いたのでは、あらゆる既存の壁面上に適切に配置しきれないおそれがある。
また、上記壁面パネルの取付けに関しては、接着剤を用いる場合には、強固な接着を確保するために既存の壁面の十分な清掃が必要となり、作業負担が増えることになる。ホールインアンカー等を用いて壁面パネルを既存の壁面に取付ける場合においては、具体的な取付け手法が未だ確立されておらず、作業性を考慮した取付け手法が望まれる。
【０００５】
本発明は以上のような事情を勘案してなされたもので、その第１の技術的課題は、既存の壁面に対して適応性の高い壁面パネルを提供することにある。
第２の技術的課題は、上記壁面パネルを用いた壁面構造を提供することにある。
第３の技術的課題は、上記壁面構造を容易に施工できる壁面構造の施工方法を提供することにある。
【０００６】
【課題を解決するための手段】
上記第１の技術的課題を達成するために本発明（請求項１の発明）にあっては、
複数の独立した板状の基礎壁材が該各基礎壁材の内部を貫く連結線により連結され、
前記各基礎壁材の表面に、化粧層がそれぞれ形成されている、
ことを特徴とする壁面パネルとした構成としてある。この請求項１の発明の好ましい態様としては、請求項２〜５の記載の通りとなる。
【０００７】
上記第２の技術的課題を達成するために本発明（請求項６の発明）にあっては、
複数の独立した板状の基礎壁材が該各基礎壁材の内部を貫く連結線により連結されていると共にその各基礎壁材の表面に化粧層がそれぞれ形成されている壁面パネルが、該化粧層を外側に向けた状態で既存の壁面に沿いつつ積み上げられ、前記各壁面パネルの裏面側に、該各壁面パネルと該各壁面パネルよりも上方側の壁面パネルとの間において、取付け部材が跨るようにそれぞれ配設され、
前記各取付け部材の下端部が前記各壁面パネルの上部に取付けられ、
前記各取付け部材の上端部が前記既存の壁面に取付けられている、
ことを特徴とする壁面構造とした構成としてある。この請求項６の発明の好ましい態様としては、請求項７〜８の記載の通りとなる。
【０００８】
上記第３の技術的課題を達成するために本発明（請求項９の発明）にあっては、
壁面パネルとして、複数の独立した板状の基礎壁材が該各基礎壁材の内部を貫く連結線により連結されていると共に該各基礎壁材の表面に化粧層がそれぞれ形成され、しかも、その裏面上部に上方に突出するようにして取付け部材が設けられたものを複数用意し、
前記壁面パネルを既存の壁面に沿わせさせつつ順次、積み上げると共に、その各壁面パネルの積み上げ作業毎に、その各壁面パネルにおける取付け部材を既存の壁面に取付ける、
ことを特徴とする壁面構造の施工方法とした構成としてある。この請求項９の発明の好ましい態様としては、請求項１０以下の記載の通りとなる。
【０００９】
【発明の効果】
請求項１に記載された発明によれば、各基礎壁材の表面における化粧層により周囲の景観に適宜、調和させることができる一方、複数の独立した板状の基礎壁材が該各基礎壁材の内部を貫く連結線により連結されて、基礎壁材間において曲げることができることから、種々の既存の壁面上に的確に配置できることになり、既存の壁面に対して適応性の高い壁面パネルを提供できることになる。
【００１０】
請求項２に記載された発明によれば、連結線が１本であることから、既存の壁面が湾曲しつつ裾の部分が広がるようなものに対しても適応でき、極めて自由度の高い壁面パネルを提供できることになる。
【００１１】
請求項３に記載された発明によれば、基礎壁材の裏面上部に、取付け部材が該基礎壁材から上方に突出するように取付けられていることから、当該壁面パネルを用いれば、その積み上げ作業に際して、その取付け部材の突出部分を既存の壁面に取付けてその壁面パネルを既存の壁面に固定できる一方、次の壁面パネルの積み上げによって上記取付け部材の突出部分を隠すことができることになる。このため、当該壁面パネルを適切に既存の壁面に取付けることができることになる。
【００１２】
請求項４に記載された発明によれば、取付け部材が、少なくとも壁面パネルより突出する部分において、該壁面パネルの裏面に沿いつつ突出されてアンカーピン用挿入孔が形成されている一定幅の連結壁部と、該連結壁部の幅方向両側から該壁面パネルの裏面方向に起立する一対の対向壁部とを備えていることから、アンカーピン用挿入孔からアンカーピンを既存の壁面に対して打ち込んで固定すれば、連結壁部は、それを支えることになる一対の対向壁部を中心として撓むことになり、その撓み力を反発力として、一対の対向壁部を既存の壁面に強固に押し付けることになる。このため、当該壁面パネルを用いることにより既存の壁面に強固に固定できることになる。
【００１３】
請求項５に記載された発明によれば、上端面及び下端面に突部が厚み方向に互い違いに形成されて、積み上げたときに凹凸嵌合できるように設定されていることから、積み上げることになる各壁面パネル同士の一体化も図られることになり、当該壁面パネルを用いることにより、既存の壁面に対する壁面パネルの取付けを一層、強固にできることになる。
【００１４】
請求項６に記載された発明によれば、複数の独立した板状の基礎壁材が該各基礎壁材の内部を貫く連結線により連結されていると共にその各基礎壁材の表面に化粧層がそれぞれ形成されている壁面パネルが、該化粧層を外側に向けた状態で既存の壁面に沿いつつ積み上げられ、前記各壁面パネルの裏面側に、該各壁面パネルと該各壁面パネルよりも上方側の壁面パネルとの間において、取付け部材が跨るようにそれぞれ配設され、前記各取付け部材の下端部が前記各壁面パネルの上部に取付けられ、前記各取付け部材の上端部が前記既存の壁面に取付けられていることから、壁面パネルの取付け部材の突出部分を既存の壁面に取付けてその壁面パネルを既存の壁面に固定できる一方、次の壁面パネルの積み上げによって上記取付け部材の突出部分を隠すことができることになり、前記請求項３に係る壁面パネルが用いられた壁面構造を提供できることになる。
【００１５】
請求項７に記載された発明によれば、前記取付け部材が、少なくとも壁面パネルより突出する部分において、該壁面パネルの裏面に沿いつつ上方に突出されてアンカーピン用挿入孔が形成されている一定幅の連結壁部と、該連結壁部の幅方向両側から該壁面パネルの裏面方向に起立する一対の対向壁部とを備え、前記取付け部材の上端部が前記既存の壁面に、該既存の壁面に形成されるアンカーピン用取付け孔に前記アンカーピン用挿入孔を介して打ち込まれるアンカーピンをもって固定されていることから、前記請求項４に係る壁面パネルを用いた壁面構造を提供できることになる。
【００１６】
請求項８に記載された発明によれば、前記各壁面パネルが、該各壁面パネルに対して上下関係にある壁面パネルに対して凹凸嵌合されていることから、前記請求項５に係る壁面パネルを用いた壁面構造を提供できることになる。
【００１７】
請求項９に記載された発明によれば、壁面パネルとして、複数の独立した板状の基礎壁材が該各基礎壁材の内部を貫く連結線により連結されていると共に該各基礎壁材の表面に化粧層がそれぞれ形成され、しかも、その裏面上部に上方に突出するようにして取付け部材が設けられたものを複数用意し、前記壁面パネルを既存の壁面に沿わせさせつつ順次、積み上げると共に、その各壁面パネルの積み上げ作業毎に、その各壁面パネルにおける取付け部材を既存の壁面に取付けることから、壁面パネルの取付けに際して、既存の壁面の清掃も不要となり、前記請求項６に係る壁面構造を具体的且つ容易に施工できることになる。
【００１８】
請求項１０に記載された発明によれば、前記取付け部材が、少なくとも壁面パネルより突出する部分において、該壁面パネルの裏面に沿いつつ上方に突出されてアンカーピン用挿入孔が形成されている一定幅の連結壁部と、該連結壁部の幅方向両側から該壁面パネルの裏面方向に起立する一対の対向壁部とを備えることとされて、前記取付け部材を既存の壁面に取付けるに際して、前記アンカーピン用挿入孔を介してアンカーピンを既存の壁面に対して打ち込むことから、前記請求項７に係る壁面構造を具体的に施工できることになる。
【００１９】
請求項１１に記載された発明によれば、前記壁面パネルの積み上げセット後であって前記取付け部材を既存の壁面に取付ける前に、前記アンカーピン用挿入孔を案内孔として利用しつつ、前記既存の壁面にアンカーピン用取付け孔を形成することから、アンカーピン用挿入孔を有効に利用して、そのアンカーピン用挿入孔に的確に対応するアンカーピン用取付け孔を既存の壁面に容易に形成できることになる。
【００２０】
請求項１２に記載された発明によれば、前記各壁面パネルを積み上げるに際して、該各壁面パネルの下側の壁面パネルの上端面に対して該各壁面パネルの下端面を凹凸嵌合させることから、前記請求項８に係る壁面構造を具体的且つ容易に施工できることになる。
【００２１】
【発明の実施の形態】
以下、本発明の実施形態について図面に基づいて説明する。
図１、図２図において、符号１は、実施形態に係る壁面構造で、この壁面構造１は、複数の長尺な壁面パネル２が、基礎コンクリートＢ上において、既存のコンクリート構造物３のコンクリート壁面３ａ（既存の壁面）に沿わせつつ積み上げられた状態で該コンクリート壁面３ａに取付けられた構造となっている。
【００２２】
前記壁面パネル２は、図１〜図４に示すように、複数の独立したパネル片４（標準的なものとしては５つ）が連結線としての鉄筋５により一列に連結されている。各パネル片４は、板状で且つ長方形状に形成され（例えば、縦辺：２５０ｍｍ前後、横辺：４００ｍｍ前後、厚み：１００ｍｍ前後）、その各構造は、板状の基礎壁材６と、その基礎壁材６の前面に設けられる化粧層７とにより構成されている。
【００２３】
前記基礎壁材６は、パネル片４の基礎的強度を確保することを主目的とするものである。各基礎壁材６は、所定以上の強度の下で前記パネル片４の形状を形作るべく、軽量骨材等が含まれるコンクリート等により長方形状に形成されており、その各基礎壁材６の対向する長辺は、上辺及び下辺とされて、横方向に一列に連続して並ぶように配置されている。この各基礎壁材６の上端部には、その前面部側において突出部８が設けられ、各基礎壁材６の下端部には、その後面部側において突出部９が設けられている。この各基礎壁材６の突出部８，９の突出量は、各基礎壁材６において等しくされており、これにより、壁面パネル２を順次積み上げることにより、上下に隣り合う壁面パネル２（基礎壁材６）は、その上下端部が凹凸嵌合することになっている（図２参照）。
【００２４】
前記化粧層７は、前記基礎壁材６の前面に接着剤等を用いて一体化されている。この化粧層７としては、周囲の景観、自然環境等に適合させるべく、複数種類のものが用意されており、例えば、苔類やシダ類等を繁茂させて緑化させたり水質浄化効果等を目的とした焼成軽量石仕様のもの、土壁風の美しい風合いを実現したマサ土仕様のもの、鉄平石をコンクリート基板材と一体化して鉄平石張り風を実現した鉄平石張り仕様のもの、半割り玉石をコンクリート基板材と一体化して玉石積風を実現した玉石張り仕様のもの、砂粒状の御影石をコンクリート基板材と一体化して御影石積風を実現した御影石仕様のもの、焼成レンガをコンクリート基板材と一体化してレンガ積風を実現したレンガ仕様のもの、割肌模様の御影本石仕上げとした御影本石仕様のもの等が適宜、用いられる。
【００２５】
前記鉄筋５は、本実施形態においては、１本だけ使用されており、その１本の鉄筋５が、複数のパネル片４の内部を貫通されて、それらを一体的に連結している。この鉄筋５は、所定以上の荷重に対して曲げることができるようにも設定されている。この所定以上の荷重は、各パネル片４の連結強度を確保できることを前提に、曲げ作業性を考慮して適宜決められることになっており、パネル片４の隙間を考慮にいれつつ、鉄筋５を各パネル片４間において曲げることによって、壁面パネル２の前面を所望曲率の湾曲面、直角状態等に形成できることになっている。特に本実施形態においては、鉄筋５を１本とすることにより上記曲げ作業を容易にするだけでなく、その１本の鉄筋５を各パネル片４の上部側（パネル片４の上下方向中央よりも上方側）に位置させることにより、横方向に隣り合うパネル片４間の隙間を下部側において上部側よりも大きく開くことができるようにもされており、これにより、既存のコンクリート壁面３ａの曲率半径が上、下部において異なるようなもの（下部側の曲率半径が上部側の曲率半径よりも大きい曲面の場合）にも的確に対応できることになっている。
【００２６】
前記壁面パネル２には、図２〜図４に示すように、一対の取付け部材１０が設けられている。一対の取付け部材１０は、壁面パネル２の長手方向中央部を基準として対称に配置されており、その各取付け部材１０は、該当基礎壁材６の裏面上部に該基礎壁材６から上方に突出するようにして取付けられている。この各取付け部材１０は、帯状の連結壁部１１と、一対の対向壁部１２とを備えている。連結壁部１１は、その連結壁部１１の下端部が壁面パネル２の裏面（基礎壁材６の裏面）上部に取付けられている一方、その連結壁部１１の上端部は壁面パネル２の裏面に沿いつつ突出され、その突出部分（上端部）にアンカーピン用挿入孔１５が形成されている。一対の対向壁部１２は、連結壁部１１の幅方向両側から該壁面パネル２の裏面方向に起立されており、その一対の対向壁部１２間を通じて、取付け部材１０の内部が外部に開放されることになっている。この場合、壁面パネル２と取付け部材１０との取付けに関しては、基礎壁材６の製造時（コンクリートの未硬化時）にインサートナット１３が埋め込まれ、そのコンクリートの硬化後、そのインサートナット１３に対して止め具１４を螺合することにより取付け部材１０の下端部が基礎壁材６の裏面に取付けられることになっている。
【００２７】
尚、この壁面パネル２を製造するに際しては、複数の基礎壁材６を形作る型枠内に鉄筋５を配置した状態でコンクリートを充填して、その硬化を待って、複数の基礎壁材６の連結体を形成し、その後、その各基礎壁材６の前面側に接着剤を塗布し、その接着剤を介して化粧層７を基礎壁材６の前面に取付けることになっている。
【００２８】
このような壁面パネル２は、複数のパネル片４が鉄筋５により連結されている構成をを生かして、既存のコンクリート構造物３のコンクリート壁面３ａ（既存の壁面）に沿わせつつ基礎コンクリートＢ上に積み上げられており、その取付けにおいては、各壁面パネル２は、その保有する一対の取付け部材１０（アンカーピン用挿入孔１５）、アンカーピン１６を利用してコンクリート壁面３ａにそれぞれ強固に取付けられ、その各壁面パネル２の一対の取付け部材１０は、その壁面パネル２の上段に積み上げられる壁面パネル２により覆われている（隠されている）。しかもこの場合、上下に隣り合う壁面パネル２は、その各突出部８，９を利用して、上下端面が凹凸嵌合されており、壁面パネル２同士の一体化が高められている。
【００２９】
したがって、上記壁面パネル２を用いれば、既存のコンクリート壁面３ａに対して高い適合性をもって配置でき、しかも、壁面パネル２の取り付けに際して、既存のコンクリート壁面３ａに対する接着前工程の清掃等を不要として、作業負担を軽減できることになる。
【００３０】
上記壁面構造１の施工においては、壁面パネル２が、既存のコンクリート構造物３のコンクリート壁面３ａに沿わせつつ該既存のコンクリート構造物３の基礎コンクリートＢ上に下側から順に、配置されることになるが、各壁面パネル２の積み上げ作業の度に、そのとき最上段となる壁面パネル２における一対の取付け部材１０が、その壁面パネル２より上方に突出され、その一対の取付け部材１０に対して一連の取付け作業が行われる。この積み上げ作業の度に行われる一連の取付け作業の対象としては、基礎コンクリートＢから２段目以降のものだけでなく最下段の壁面パネル２も含まれる。
【００３１】
上記一連の取付け作業においては、先ず、図６に示すように、穿設工具としてのドリル装置１７のドリル（刃）１８が取付け部材１０のアンカーピン用挿入孔１５に挿入され、そのアンカーピン用挿入孔１５を案内孔として利用しつつ、既存のコンクリート壁面３ａ（既存のコンクリート構造物３）にアンカーピン用取付け孔１９が形成される。この後工程におけるアンカーピン１６のセット及び打ち込みを円滑に行うためである。
【００３２】
次に、図７〜図９に示すように、アンカーピン１６がアンカーピン用挿入孔１５及びアンカーピン用取付け孔１９に軽く押し込まれた後、そのアンカーピン１６がハンマー２０等を用いて打ち込まれる。当該壁面パネル２を取付け部材１０を介して既存のコンクリート壁面３ａに取付けるためである。このとき、アンカーピン１６を打ち込む前に、アンカーピン用挿入孔１５を介してアンカーピン用取付け孔１９内に樹脂注入器等（図示略）を用いて樹脂或いは接着剤を注入することが好ましい。アンカーピン１６と既存のコンクリート構造物３との結合力を高めることができると共に、アンカーピン１６の防錆等を図ることができるからである。
【００３３】
この場合、アンカーピン１６は、それ自身を既存のコンクリート壁面３ａ（既存のコンクリート構造物３）に固定すると共に取付け部材１０を既存のコンクリート壁面３ａに押圧固定すべく、図８，図９に示すように、軸部２１と、該軸部２１の基端部（図中、上端部）に設けられる頭部２２とを一体的に備え、その軸部２１には、その軸心方向中央部と先端との間において、該軸部２１の軸心が側方に膨出するように湾曲された湾曲部２３が形成されている。これにより、頭部２２がハンマー２０等により叩かれて軸部２１が取付け孔９に押し込まれたときには、図９に示すように、湾曲部２３が押し開かれた状態（曲率小状態）となり、軸部２１は、湾曲部２３の膨らみ側、湾曲部２３の膨らみ側とは反対側における先端部、及び同じ側の基端部がアンカーピン用取付け孔１９内壁に係合することになって、軸部２１はアンカーピン用取付け孔１９に保持されることになる。またこのとき、アンカーピン１６の頭部２２は、同じく図９に示すように、取付け部材１０の連結壁部１１を撓めることになり、その撓みに基づく反発力により取付け部材１０（一対の対向壁部１２）をコンクリート壁面３ａに強固に押し付けることになる。
【００３４】
さらに本実施形態においては、アンカーピン１６の軸部２１の外周面に、軸心方向中央部から先端にかけての範囲において、突条２４が形成されており、アンカーピン１６の打ち込みに伴い、その突条２４のうち、湾曲部２３の膨らみ側部分、湾曲部２３の膨らみ側とは反対側における先端部分等がアンカーピン用取付け孔１９の内壁に食い込むことになる。これにより、アンカーピン用取付け孔１９の内壁に対する軸部２１の係合面積が増大されると共に、アンカーピン用取付け孔１９に対する軸部２１の回動規制が強化されることになる。
【００３５】
各壁面パネル２において、上記一連の取付け作業を終えると、その壁面パネル２に新たな壁面パネル２が積み上げられ、その新たな壁面パネル２により、その下段に位置することになる壁面パネル２の一対の取付け部材１０が隠される。一対の取付け部材１０が露出して、見栄えが悪くなることを防止するためである。そして、その新たな壁面パネル２に対して上記一連の取付け作業が再び繰り返されることになる。尚、上記説明では、理解を容易にするために、壁面パネル２を単純に上下方向に積み上げることとしているが、既存のコンクリート構造物３に応じて、壁面パネル２を横方向に複数並設してもよいことは言うまでもない。
【００３６】
そして最後に、最上段の壁面パネル２と既存のコンクリート壁面３ａの最上部との間において、端部処理として天端処理が行われる。天端処理としては、本実施形態においては、図１０に示すように、コンクリート処理により天端コンクリート部２５が形成され、その天端コンクリート部２５により、一対の取付け部材１０が隠される。別の態様として、図１１に示すように、天端に応じた壁面パネル２６を用意し、それをフラットバー２７等を用いて既存のコンクリート壁面３ａに固定してもよい。
【００３７】
以上実施形態について説明したが本発明にあっては、次のような態様を包含する。
１）パネル片４の形状を、略板状にしつつ、前面形状（正面視）を玉石形状（丸み形状）等、種々の形状とすること。
２）基礎壁材６の前面に化粧層７を形成するに際して、基礎壁材６（コンクリート）の未硬化状態を利用して、化粧材を部分的に基礎壁材６の前面に埋め込むこと。
【００３８】
尚、本発明の目的は、明記されたものに限らず、実質的に好ましい或は利点として記載されたものに対応したものを提供することをも暗黙的に含むものである。
【図面の簡単な説明】
【図１】実施形態に係る壁面構造を示す正面図。
【図２】実施形態に係る壁面構造を示す縦断面図。
【図３】実施形態に係る壁面パネルを示す横断面図。
【図４】実施形態に係る壁面パネルを裏面側から見た図。
【図５】実施形態に係る壁面構造を説明する拡大説明図。
【図６】実施形態に係る壁面構造の施工を説明する説明図。
【図７】図６の続きの工程を説明する図。
【図８】既存のコンクリート壁面に対するアンカーピンの打ち込みを説明する拡大横断面図。
【図９】図８の続きの工程を示す図。
【図１０】実施形態に係る天端処理を説明する説明図。
【図１１】天端処理の変形例を説明する説明図。
【符号の説明】
１  壁面構造
２  壁面パネル
３  既存のコンクリート構造物
３ａ  コンクリート壁面
５  鉄筋
６  基礎壁材
７  化粧層
１０  取付け部材
１１  連結壁部
１２  対向壁部
１５  アンカーピン用挿入孔
１６  アンカーピン
１９  アンカーピン用取付け孔
【図１】
2004190251.tif 000003
【図２】
2004190251.tif 000004
【図３】
2004190251.tif 000005
【図４】
2004190251.tif 000006
【図５】
2004190251.tif 000007
【図６】
2004190251.tif 000008
【図７】
2004190251.tif 000009
【図８】
2004190251.tif 000010
【図９】
2004190251.tif 000011
【図１０】
2004190251.tif 000012
【図１１】
2004190251.tif 000013